(57)【要約】 【課題】  狭い住宅でも間仕切りを効率良く配置して空間の利用効率が向上し、且つ手間の掛からない住宅の間取り変更構造を提供する。 【解決手段】  住宅４の部屋区画のための可動間仕切り１５は可動部１６と可動部１６を格納する収納部１７から成る。可動間仕切り１５は長辺壁２ｂに二組の可動間仕切り１５ａ、１５ｂと短辺壁３ａの略中心部に一組の可動間仕切り１５ｃ設けられる。可動間仕切り１５ａ、１５ｂから短辺壁３ａに平行な延長線と可動間仕切り１５ｃから長辺壁２ｂに平行な延長線とが交わる第一位置Ｆ１と第二位置Ｆ２にＬ字状可動間仕切り２０ａ、２０ｂが設けられる。Ｌ字状可動間仕切り２０ａ、２０ｂはそれぞれ二組の可動間仕切り１５ｄ、１５ｅと可動間仕切り１５ｆ、１５ｇを角度９０度で固定して対向するように配置される。可動間仕切り１５ａ、１５ｂ、１５ｃ、１５ｄ、１５ｆの可動部１６の先端側は扉Ｒとして使用される。  【選択図】  図１
2008081976.tif 000002
【特許請求の範囲】
【請求項１】
間仕切りにより部屋区画が形成される一対の長辺壁と一対の短辺壁からなる平面視矩形の住宅の間取り変更構造であって、
前記間仕切りは可動部とこの可動部を格納する収納部からなる可動間仕切りで、前記収納部は一方の前記長辺壁に二組と一方の前記短辺壁の略中心部に一組設けられ、
前記一方の長辺壁の二組の前記収納部から前記短辺壁に平行な延長線と前記短辺壁の一組の前記長辺壁に平行な延長線とが交わる第一位置と第二位置にＬ字状可動間仕切りが前記可動部をそれぞれ格納する二組の前記収納部を角度９０度で備えて形成されることを特徴とする住宅の間取り変更構造。
【請求項２】
請求項１に記載の住宅の間取り変更構造であって、前記可動間仕切りの可動部は複数の仕切り板によるスライド式であることを特徴とする住宅の間取り変更構造。
【発明の詳細な説明】
【技術分野】
【０００１】
本発明は、住宅の各部屋区画（部屋空間）が狭いときに、それらの空間を状況に応じて広い空間にするための技術に関し、詳しくは、部屋の使用目的に合わせて部屋区画が変更できる住宅の間取り変更構造の技術に関する。
【背景技術】
【０００２】
従来、間取り変更が容易にできる住宅の間取り変更構造が例えば特許文献１に開示されている。
【０００３】
特許文献１の住宅の間取り変更構造は、図６（ａ）に示すように、収納庫Ｃによって部屋区画されて居室Ｂｅ２と居室Ｂｅ３が形成される。収納庫Ｃを形成する間仕切り４０は三組の可動間仕切り４１で構成される。
【０００４】
図６（ｂ）に示すように、収納庫Ｃを取り外すことで居室Ｂｅ２と居室Ｂｅ３を合併して大きな居室Ｂｅ２が形成される。このとき、収納家具Ｒ１を背中合わせに二列設置して書斎Ｓ１も設けられる。
【０００５】
図６（ｃ）に示すように、可動間仕切り４１は可動間仕切り４１の下部に配置されたアジャスター４２を回転することにより天井４３と床４４に固定又は着脱できるようになっている。天井４３には図示しない廻り縁を配置し、床４４には巾木を貼って、万一アジャスター４２が緩んでも、可動間仕切り４１が転倒したり天井４３や床４４との間に隙間等が生じたりすることの無いように施工される。
【０００６】
このように、アジャスター４２を上下動することで可動間仕切り４１を簡単に着脱して持運びできるので間取り変更を容易にすることができる。
【特許文献１】特開２００１−２４１１９４号公報
【発明の開示】
【発明が解決しようとする課題】
【０００７】
しかしながら、従来の上記住宅の間取り変更構造は、可動間仕切りの取外しと移動に手間が掛かるとともにその位置決めにも時間が掛かるという問題があった。
【０００８】
そこで、本発明は、上記従来の問題点を解消して、狭い住宅でも間仕切りを効率良く配置して空間の利用効率が向上し、且つ容易で手間の掛からない住宅の間取り変更構造を提供することを目的とする。
【課題を解決するための手段】
【０００９】
請求項１の発明は、間仕切りにより部屋区画が形成される一対の長辺壁と一対の短辺壁からなる平面視矩形の住宅の間取り変更構造であって、前記間仕切りは可動部とこの可動部を格納する収納部からなる可動間仕切りで、前記収納部は一方の前記長辺壁に二組と一方の前記短辺壁の略中心部に一組設けられ、前記一方の長辺壁の二組の前記収納部から前記短辺壁に平行な延長線と前記短辺壁の一組の前記長辺壁に平行な延長線とが交わる第一位置と第二位置にＬ字状可動間仕切りが前記可動部をそれぞれ格納する二組の前記収納部を角度９０度で備えて形成されることを特徴としている。
【００１０】
請求項２の発明は、請求項１に記載の住宅の間取り変更構造であって、前記可動間仕切りの可動部は複数の仕切り板によるスライド式であることを特徴としている。
【発明の効果】
【００１１】
請求項１記載の発明によれば、前記間仕切りは可動部とこの可動部を格納する収納部からなる可動間仕切りで、前記収納部は一方の前記長辺壁に二組と一方の前記短辺壁の略中心部に一組設けられ、前記一方の長辺壁の二組の前記収納部から前記短辺壁に平行な延長線と前記短辺壁の一組の前記長辺壁に平行な延長線とが交わる第一位置と第二位置にＬ字状可動間仕切りが前記可動部をそれぞれ格納する二組の前記収納部を角度９０度で備えて形成される。
【００１２】
このため、Ｌ字状可動間仕切りは二組の可動部を備えているので、部屋の長手方向と短手方向に簡単に略同時に引き出すことができるので部屋区画が容易にできる。可動間仕切りなので短時間で区画変更できるので手間が掛からない。
【００１３】
また、住宅の略全領域を複数の可動間仕切りを選択することで部屋配置のバリエーションが多く得られ、種々のニーズに対応して部屋区画を自由に形成できるため狭い住宅でも空間の利用効率が向上する。
【００１４】
請求項２の発明は、請求項１に記載の住宅の間取り変更構造であって、前記可動間仕切りの可動部は複数の仕切り板によるスライド式なので、可動間仕切りの引き出し及び引き込みが容易且つ迅速にできる。
【発明を実施するための最良の形態】
【００１５】
以下に、本発明の第１の実施形態を図１〜図４に基づいて説明する。
【００１６】
＜住宅の間取り変更構造の構成＞
図１に示すように、住宅の間取り変更構造１は一対の長辺壁２ａ、２ｂと一対の短辺壁３ａ、３ｂに囲まれる平面視矩形形状の住宅における間取り変更である。
【００１７】
住宅４には、短辺壁３ａに沿って長辺壁２ａ側から、玄関ホール５、トイレ６、洗面所７、浴室８が一列に設けられる。
【００１８】
住宅４の中央部には長辺壁２ａ側に居間９、長辺壁２ｂ側に寝室１０が設けられ、さらに、短辺壁３ｂに沿ってダイニングキッチン１１が設けられる。短辺壁３ｂの外側にはテラス１２を備えている。
【００１９】
このような住宅４の部屋区画のための可動間仕切り１５は可動部１６とこの可動部１６を格納する収納部１７で形成される。
【００２０】
可動間仕切り１５は長辺壁２ｂに二組の可動間仕切り１５ａ、１５ｂと短辺壁３ａの略中心部に一組の収納部１５ｃ設けられる。また、可動間仕切り１５ａ、１５ｂから短辺壁３ｂに平行な延長線と可動間仕切り１５ｃから長辺壁２ｂに平行な延長線とが交わる第一位置Ｆ１と第二位置Ｆ２にＬ字状可動間仕切り２０ａ、２０ｂが設けられる。
【００２１】
Ｌ字状可動間仕切り２０ａは二組の可動間仕切り１５ｄ、１５ｅを角度９０度で固定して形成され、Ｌ字状可動間仕切り２０ｂは二組の可動間仕切り１５ｆ、１５ｇを角度９０度で固定して形成される。Ｌ字状可動間仕切り２０ａ、２０ｂは可動間仕切り１５ｅと可動間仕切り１５ｇが対向し、可動間仕切り１５ｄと可動間仕切り１５ｆが長辺壁２ａに向かって配置される。
【００２２】
それぞれの可動間仕切り１５の可動部１６が収納部１７から引出された状態で、居間９、寝室１０、ダイニングキッチン１１、トイレ６と玄関ホール５を含むトイレ玄関ホール５ａ、洗面所７と浴室８を含む浴室付洗面所８ａの各部屋区画が形成される。
【００２３】
ここで、可動間仕切り１５ａ、１５ｂ、１５ｃ、１５ｄ、１５ｆの可動部１６の先端側には扉Ｒが形成され、この扉Ｒのスライド開閉によって隣接空間を移動することができる。
【００２４】
図２に示すように、Ｌ字状可動間仕切り２０ａは二組の収納部１７を角度９０度で固定して形成され、それぞれの収納部１７には三枚の仕切り板Ｐ、Ｑ、Ｒからなる可動部１６が納められ、三枚の仕切り板Ｐ、Ｑ、Ｒはスライド式で互いが連結して出し入れができる。
【００２５】
いま、図２の左側の収納部１７から引出された３枚の仕切り板Ｐ、Ｑ、Ｒはすべてが面一に成る状態で、図２の右側の収納部１７から引出された３枚の仕切り板Ｐ、Ｑ、Ｒは上記先端側の仕切り板Ｒが扉として矢印Ｗに示すように仕切り板Ｑに沿ってスライド開閉できる。
【００２６】
可動部１６は高さＨ１、収納部１７の内法寸法は３枚の仕切り板Ｐ、Ｑ、Ｒが収納できる幅Ｕ、深さＴ、高さＨ２で、収納部１７の外法高さＨ３は住宅の天井と床の空間高さと同じである。このため、Ｈ１＜Ｈ２＜Ｈ３の高さ関係で形成される。
【００２７】
同様に、Ｌ字状可動間仕切り２０ｂはＬ字状可動間仕切り２０ａと対称的に形成される。可動間仕切り１５ａ、１５ｂは３枚の仕切り板、可動間仕切り１５ｃは２枚の仕切り板から成り、それぞれ先端側の一枚が扉Ｒとなる。
【００２８】
図３（ａ）に示すように、３枚の仕切り板Ｐ、Ｑ、Ｒ全体が同時に重なった状態である。そして、仕切り板Pに仕切り板Ｑが第一のスライドガイド手段３５で保持される。
【００２９】
第一のスライドガイド手段３５はスライド板３５ａと一対のリンクアーム３５ｂが回転自在に連結される。そして、隣接する仕切り板Ｐ、Ｑの対向する側面K１、K２にそれぞれ第一のスライドガイド手段３５を収納する水平の長溝Ｐ１、Ｑ１が形成される。
【００３０】
長溝Ｐ１、Ｑ１は垂直断面凸形状でスライド板３５ａは側面K１から離脱しないがリンクアーム３５ｂは側面K１を水平方向に自在に出入りすることができる。  
スライド板３５ａの両端の位置Ｓでピン固定された一対のリンクアーム３５ｂは、その他端が仕切り板Ｑの長溝Ｑ１内の位置Ｔでピン固着される。そして、スライド板３５ａを回転突出して仕切り板Ｐに備える長溝Ｐ１に挿入される。スライド板３５ａは二箇所の位置Ｔを中心に平行回転することができる。
【００３１】
図３（ｂ）（ｃ）に示すように、仕切り板Ｐ、Ｑが互いに水平方向にスライドして離反する状態で、スライド板３５ａが一対のリンクアーム３５ｂを介して回転し、一方の仕切り板Ｑの長溝Ｑ１に収納される。このとき、スライド板３５ａの先端部Ｇが仕切り板Ｐの長溝Ｐ１に挿入されることにより隣接する仕切り板Ｐ、Ｑが互いに面一で位置固定される。
【００３２】
図３（ｄ）、（ｅ）に示すように、仕切り板Ｑ、Ｒの対向する側面K３、K４にそれぞれ水平の長溝Ｑ２と第二のスライドガイド手段としてのローラー３８を設ける。そして、仕切り板Ｒはローラー３８によって仕切り板Ｑに懸架されてスライドできるので、仕切り板Ｑは扉としての役目を果たすことができる。
【００３３】
収納部１７と仕切り板Ｐは図示しないスライド手段により引出されるが、仕切り板Ｐの一端は収納部１７の開放端に離脱しないように係止される。
【００３４】
図４に示すように、仕切り板Ｐ、Ｑには第一のスライドガイド手段３５を収納する長溝Ｐ１、Ｑ１がそれぞれ一条設けられ、さらに仕切り板Ｑにはローラー３８を収納する二条の長溝Ｑ２が所定の間隔Ｈで設けられる。
【００３５】
長溝Ｐ１、Ｑ１、Ｑ２の取付位置は仕切り板Ｑ、Ｒのスライド移動を安定して容易に行なうためにできるだけ上方に設けるのが好ましい。
【００３６】
＜住宅の間取り変更構造の作用＞
上記、Ｌ字状可動間仕切り２０ａ、２０ｂは二組の収納部１７を角度９０度で固定して形成され、それぞれの収納部１７には三枚の仕切り板Ｐ、Ｑ、Ｒからなる可動部１６が納められ、三枚の仕切り板Ｐ、Ｑ、Ｒはスライド式で互いが連結して出し入れができる。
【００３７】
このため、可動部１６を使用しない場合には可動部１６が収納された状態のＬ字状可動間仕切り２０ａ、２０ｂをコンパクトに設置することができて、部屋区画を必要とする場合には、可動部１６を住宅４の長手方向と短手方向に略同時に簡単に引き出すことができるので部屋区画が容易にできる。
【００３８】
＜本発明の第２の実施形態＞
本発明の第２の実施形態の住宅の間取り変更構造１ａを図５に基づいて説明するが、図１に示す住宅の間取り変更構造１の構成と同構成部分については、図面に同符号を付して重複した説明を省略する。なお、第２の実施形態の可動間仕切り１５の構成は第１の実施形態の構成と同じであるため、その説明および図面を省略する。
【００３９】
図５に示すように、一対の長辺壁２ａ、２ｂと一対の短辺壁３ａ、３ｂに囲まれる平面視矩形形状の住宅４ａは、第一位置Ｆ１と第二位置Ｆ２にＬ字状可動間仕切り２０ａ、２０ｂが同様に長辺壁２ａと短辺壁３ｂに向けて配置されるので、ダイニングキッチン１１がダイニングルーム１１ａとキッチンルーム１１ｂの部屋に別区画される。
【００４０】
ダイニングルーム１１ａをキッチンルーム１１ｂから分離することで食卓環境を改善することができる。
【００４１】
また、玄関ホール５、トイレ６、洗面所７、浴室８は可動間仕切りが共通空間となっているので、来客等のない場合には広く開放された空間が創出できるので狭い住宅でも空間の利用効率がさらに向上する。
【００４２】
以上、本発明の実施形態を図面に基づいて説明したが、上記の実施例はいずれも本発明の一例を示したものであり、本発明はこれらに限定されるべきでないということは言うまでもない。
【００４３】
例えば、仕切り板Ｐ、Ｑ、Ｒの下部には必要に応じてコロを備えることにより、仕切り板Ｐ、Ｑ、Ｒの自重を床で支えることができて安定性をさらに向上することができる。
【００４４】
また、仕切り板が１枚の場合や総枚数が３枚を越える構成も可能である。可動間仕切りの可動部は複数組の仕切り板によるスライド式以外にロール式や折畳み式等を用いることもできる。
【００４５】
Ｌ字状可動間仕切りは二組の可動間仕切りを角度９０度以外の角度で固定して形成しても構わない。
【図面の簡単な説明】
【００４６】
【図１】本発明の第１の実施形態における、住宅の間取り変更構造１の平面図である。
【図２】本発明の第１の実施形態における、Ｌ字状可動間仕切り２０ａの二組の３枚の仕切り板Ｐ、Ｑ、Ｒからなる可動部１６と収納部１７の状態を示す斜視図である。
【図３】本発明の第１の実施形態における可動部３１の動作概念を説明するための、（ａ）は仕切り板Ｐ、Ｑ、Ｒが第一のスライドガイド手段３５で保持されて互いが重なっている状態、（ｂ）は仕切り板Ｑと仕切り板Ｒが重なった状態で仕切り板Ｑが仕切り板Ｐから引出された状態、（ｃ）は仕切り板Ｑ、Ｒが重なった状態のままで仕切り板Ｑが回転して仕切り板Ｐと面一に成った状態、（ｄ）は仕切り板Ｒが第二のスライドガイド手段としてのローラー３８で仕切り板Ｑに重なって保持されている状態、（ｅ）は仕切り板Ｒが仕切り板Ｑから引出された状態を示す平面図である。
【図４】本発明の第１の実施形態における、仕切り板Ｐに設けられる長溝Ｐ１と、仕切り板Ｑに設けられる長溝Ｑ１、長溝Ｑ２の配置の状態を示す斜視図である。
【図５】本発明の第２の実施形態における、住宅の間取り変更構造１ａの平面図である。
【図６】従来例における、住宅の間取り変更構造の説明図である。
【符号の説明】
【００４７】
２ｂ  長辺壁
３ａ  短辺壁
４  住宅
１５  可動間仕切り
１５ａ  可動間仕切り
１５ｂ  可動間仕切り
１５ｃ  可動間仕切り
１５ｄ  可動間仕切り
１５ｅ  可動間仕切り
１５ｆ  可動間仕切り
１５ｇ  可動間仕切り
１６  可動部
１７  収納部
Ｆ１  第一位置
Ｆ２  第二位置
２０ａ  Ｌ字状可動間仕切り
２０ｂ  Ｌ字状可動間仕切り
【図１】
2008081976.tif 000003
【図２】
2008081976.tif 000004
【図３】
2008081976.tif 000005
【図４】
2008081976.tif 000006
【図５】
2008081976.tif 000007
【図６】
2008081976.tif 000008